(57)【要約】【課題】一般日常生活に必要、かつ使用される電子機能を統合した眼鏡を提供する。【解決手段】フレーム２０は枠体連結個所２１により二つの枠体を結合する。二枚のレンズ３０はフレーム２０の両枠体に設置される。テンプル４０は、フレーム２０から枠体連結個所２１の連接方向と垂直となるよう延伸する。レシーバ１１はフレーム２０またはテンプル４０に設けられる。プロセッサー１２はレシーバ１１の信号を受信し、映像や音声の方式で表す。メモリ１３はシステムに必要な情報を記憶する。ディスプレー１４は、プロセッサー１２の信号を表し、使用者が内容を見ようとするとき、眼で見える位置に引き立てられ、タッチコントロール装置を含み、信号を入力することができる。発信機１５はプロセッサー１２が処理した信号を外の遠端装置へ発信することができる。スピーカ１６は音声を発送することができる。マイクロホン１７は映像音声を受信する。【選択図】  図２
0003179826.tif 000002
【実用新案登録請求の範囲】
【請求項１】
介面伝送処理機能を備える眼鏡であって、
二つの枠体の結合であり、枠体連結個所により二つの枠体を結合するフレームと、
それぞれ前記フレームの両枠体に設置される二枚のレンズと、
前記フレームの左端及び右端から、前記枠体連結個所の連接方向と垂直となるよう延伸するテンプルと、
前記眼鏡の前記フレームまたは前記テンプルに設けられ、有線または無線のレシーバと、
前記レシーバの信号を受信し、予め設けられた処理を経た後、更に映像や音声の方式で表すプロセッサーと、
システムに必要な情報を記憶するメモリと、
前記プロセッサーの信号を表し、前記レンズと重なり合い、開き上げ可能の方式により前記フレームに取り付けられ、使用者が内容を見ようとするとき、眼で見える位置に引き立てられ、タッチコントロール装置を含み、使用者はタッチコントロール方式を応用して信号を入力することができるディスプレーと、
前記プロセッサーが処理した信号を外の遠端装置へ発信することができ、無線リモートコントロールを行うことができる発信機と、
前記プロセッサーの信号によって音声を発送することができるスピーカと、
映像音声を受信するマイクロホンと、
を備える眼鏡。
【請求項２】
外部との無線または有線インターネット接続に用いられ、インターネットカード装置を通じてクラウド装置と連結し、前記インターネットカード装置の機能を拡充するインターネットカードをさらに備えることを特徴とする請求項１記載の眼鏡。
【請求項３】
ＵＳＢ装置または別のＵＳＢコネクターとの結合に用いられ、外部装置と信号連結を行い、ＵＳＢコネクターを通じて外部とＭＰ３またはＭＰ４で記憶されている映像音声情報を受信し、ディスプレー及びスピーカを経て放送するＵＳＢコネクターをさらに備えることを特徴とする請求項１記載の眼鏡。
【請求項４】
前記フレーム上に位置して外部映像の撮影に用いられ、その映像を放送、記憶または伝送するカメラをさらに備えることを特徴とする請求項１記載の眼鏡。
【請求項５】
アンテナを含み、無線発射台の信号を受信することができ、前記プロセッサー、前記メモリ、前記ディスプレー及び前記スピーカを統合し、前記ディスプレーに無線台の番組を表すことにより使用者が前記眼鏡で無線テレビ番組を観賞することが可能なテレビシステムをさらに備えることを特徴とする請求項１記載の眼鏡。
【請求項６】
衛星信号を掴み取って前記眼鏡の所在位置を表すことができ、並びに地図と合わせてスクリーンに前記所在位置を表し、または前記所在位置を発信機経由で外へ伝送し、前記眼鏡が紛失した場合、前記眼鏡を探し出すことが可能なＧＰＳ定位置システムをさらに備えることを特徴とする請求項１記載の眼鏡。
【請求項７】
各種ソフトウェアを記憶することで、前記プロセッサー、前記ディスプレー及び前記スピーカを通じて、使用者が前記ディスプレーで電子ゲームを行うことが可能なソフトウェアプログラムをさらに備えることを特徴とする請求項１記載の眼鏡。
【請求項８】
前記レシーバ及び発信機と、ブルートゥースプロトコルを応用して信号の伝送を行うブルートゥース（登録商標）システムをさらに備えることを特徴とする請求項１記載の眼鏡。
【請求項９】
前記レシーバは、金融情報、証券システム、為替システム及び先物システムの情報を受信することができることを特徴とする請求項１記載の眼鏡。
【請求項１０】
前記プロセッサーはタイマーを含み、
前記ディスプレーは時間を表すことが可能であることを特徴とする請求項１記載の眼鏡。
【請求項１１】
外部の温度を測定し、前記ディスプレーに表すことが可能な温度計をさらに備えることを特徴とする請求項１記載の眼鏡。
【請求項１２】
外部の映像音声を収録して前記メモリに記憶し、前記ディスプレーによって表す映像音声収録装置をさらに備えることを特徴とする請求項１記載の眼鏡。
【請求項１３】
電源の開閉、および、各違う部材の切り換えに用いられ、外部電源に接続することができ、電力を供給し、または電池に対して充電することができるオン−オフ装置をさらに備えることを特徴とする請求項１記載の眼鏡。
【請求項１４】
使用者が音声を通じて外部の部材を制御することが可能な音声制御装置をさらに備えることを特徴とする請求項１記載の眼鏡。
【考案の詳細な説明】
【技術分野】
【０００１】
本考案は、電子装置の眼鏡に関し、特に介面伝送処理機能を具える眼鏡に関する。
【背景技術】
【０００２】
人間の知識吸収の進歩により、およそほとんどの人は眼鏡をかけるようになり、眼鏡は一種の不可欠の装置になっている。伝統的に、眼鏡の機能的な改善は多く見られない。一般的には、ただ美観上の造型の改善がなされ、眼鏡と他の機能とを結合するのは極めて少ない。事実、電子技術の進歩により、多くの電子装置は小型化されている。その多くの電子装置は、ディスプレーが必要であり、現在の技術によれば、眼鏡のレンズとディスプレーとを結合するのはそれ程難しいことではない。もちろん、各種電子装置と眼鏡とを更に整理し合せれば、眼鏡の機能を更に拡充することができ、かつ、使用上の便利性の向上が達成される。
【考案の概要】
【考案が解決しようとする課題】
【０００３】
そこで、本考案の考案者は眼鏡に対する長年の了解に基づき、眼鏡の機能を極限まで拡充し、かつ多くの電子装置が便利な方式でモバイルデバイスになり、携帯上のトラブルにならないようにすることを目的とする。つまり、本考案の目的は、一般日常生活に必要、かつ使用される電子機能を統合した眼鏡を提供することにある。
【課題を解決するための手段】
【０００４】
本考案は、介面伝送処理機能を備える眼鏡であって、フレームとレンズとテンプルとレシーバとプロセッサーとメモリとディスプレーと発信機とスピーカとマイクロホンとを備えている。フレームは、二つの枠体の結合であり、枠体連結個所により二つの枠体を結合する。二枚のレンズは、それぞれフレームの両枠体に設置される。テンプルは、フレームの左端及び右端から、枠体連結個所の連接方向と垂直となるよう延伸する。有線または無線のレシーバは、眼鏡のフレームまたはテンプルに設けられる。プロセッサーは、レシーバの信号を受信し、予め設けられた処理を経た後、更に映像や音声の方式で表す。メモリは、システムに必要な情報を記憶する。ディスプレーは、プロセッサーの信号を表し、レンズと重なり合い、開き上げ可能の方式によりフレームに取り付けられ、使用者が内容を見ようとするとき、眼で見える位置に引き立てられ、タッチコントロール装置を含み、使用者はタッチコントロール方式を応用して信号を入力することができる。発信機は、プロセッサーが処理した信号を外の遠端装置へ発信することができ、無線リモートコントロールを行うことができる。スピーカは、プロセッサーの信号によって音声を発送することができる。マイクロホンは、映像音声を受信する。
本考案の主要目的は、介面伝送処理機能を具える眼鏡を提供するもので、本考案は一般日常生活に必要、かつ使用される電子機能、例えばモバイルデバイス、金融ディスプレー、情報伝送、簡易医療機能、映像音声放送等の応用を眼鏡に整理し合わせ、使用の便利性を向上し、使用者は、これら装置を個別に携帯する必要がなくなる。更に、レンズとディスプレーとを結合すれば、使用者は便利にスクリーンを見ることができ、これは伝統的な眼鏡の機能を極度に拡張し、相当な便利性の向上が達成される。
【図面の簡単な説明】
【０００５】
【図１】本考案の実施形態による眼鏡を示す斜視図。
【図２】本考案の別の実施形態による眼鏡を示す斜視図。
【図３】本考案のさらに別の実施形態による眼鏡を示す斜視図。
【図４】本考案の実施形態による眼鏡の機能を示すブロック図。
【図５】本考案の実施形態による眼鏡のテレビシステムを示すブロック図。
【図６】本考案の実施形態による眼鏡のブルートゥースシステムを示すブロック図。
【図７】本考案の実施形態による眼鏡の音声制御装置を示すブロック図。
【考案を実施するための形態】
【０００６】
本考案が目的を達成するために用いられる技術手段は、図１から図７に示す実施形態に対応するが、図面に表す各装置の位置は例として取り上げたものであり、実際には各部材は使用上の需要によって眼鏡の適当な位置に配置することができる。本考案は、介面伝送処理機能を具える眼鏡に関するもので、次のものを含む。
【０００７】
眼鏡は、一対のフレーム２０と、対応のフレーム２０に位置する二枚のレンズ３０と、眼鏡を使用者の耳に掛け支えるためのテンプル４０とを含む。
【０００８】
本考案は、眼鏡に次の装置を取り付けて眼鏡の機能を増強するもので、これら装置は次のものを含む。
【０００９】
レシーバ１１は、眼鏡のフレーム２０またはテンプル４０に付け加えられ、レシーバ１１は有線または無線のレシーバでもよい。また、レシーバ１１は、信号レシーバ、または外部からのレーザ信号を受信するレーザレシーバ、及び外部からの赤外線信号を受信する赤外線レシーバでもよい。
【００１０】
プロセッサー１２は、レシーバ１１の信号を受信し、予め設けられた処理を経た後、更に映像や音声の方式で表すものである。
【００１１】
メモリ１３は、システムに必要な情報を記憶するものである。
【００１２】
ディスプレー１４は、プロセッサー１２の信号を表し、図２に示すように、ディスプレー１４はレンズ３０と重なり合っている。図１に示すように、ディスプレー１４は開き上げ可能の方式をもってフレーム２０に取り付けられていてもよい。この場合、使用者がディスプレー１４の内容を見ようとするとき、ディスプレー１４を眼で見える位置に引き立たせる。ディスプレー１４は、ＬＣＤ、ＬＥＤ、ＯＬＥＤ等のディスプレーでもよく、または巻き上げ可能のディスプレーでもよい。ディスプレー１４は、バーチャル（仮想）映像を表示することができる。
【００１３】
ディスプレー１４はタッチコントロール装置を付け加えてもよく、使用者はタッチコントロール方式を応用して信号を入力することができる。
【００１４】
発信機１５は、プロセッサー１２が処理した信号を外の遠端装置へ発信することができるので、発信機１５を通じて無線リモートコントロールを行うことができる。
【００１５】
スピーカ１６は、プロセッサー１２の信号によって音声を発送することができる。
【００１６】
マイクロホン１７は、映像音声を受信することができるので、本装置のスピーカ１６及びマイクロホン１７、レシーバ１１、発信機１５、プロセッサー１２等の装置を統合すれば、本装置は、モバイル通信デバイスのようになる。
【００１７】
スキャナ１８は、物件の映像を走査して保存または伝送し、かつＵＳＢコネクターを通じてプリンタと連結し、プリント（印刷）することができる。
【００１８】
インターネットカード装置１９は、本考案の全てのシステムを外部と無線または有線のインターネット接続を行い、インターネットカード装置１９を通じてクラウド（ｃｌｏｕｄ）装置と接続し、更に進んで本装置の機能を拡充する。
【００１９】
ＵＳＢコネクター２５は、ＵＳＢ装置または別のＵＳＢコネクターとの結合に用いられ、外部装置と信号連結を行う。ＵＳＢコネクター２５を通じて外部とＭＰ３またはＭＰ４で記憶されている映像音声情報を受信し、ディスプレー１４及びスピーカ１６を経て放送することができる。
【００２０】
カメラ２６は、フレーム２０上に位置して外部映像の撮影に用いられ、かつその映像を放送、記憶または伝送する。
【００２１】
体温センサー２７は、体温を感知し、かつディスプレー１４に体温を表す。
【００２２】
温度計２７０は、外部の温度を測定し、かつディスプレー１４に表す。
【００２３】
図５に示すように、テレビシステム２８は、無線発射台の信号を受信することができ、かつアンテナ２８２及びテレビ回路２８３を含む。テレビシステム２８は、プロセッサー１２、メモリ１３、ディスプレー１４及びスピーカ１６を統合し、ディスプレー１４に無線台の番組を表す。したがって、使用者は直接眼鏡で無線テレビ番組を観賞することができる。
【００２４】
映像音声収録装置２８０は、外部の映像音声を収録してメモリ１３に記憶し、かつディスプレー１４に表示する。
【００２５】
オン−オフ装置２８１は、本装置の電源の開閉（オンオフ）、かつ各違う部材の切り換えに用いられる。
【００２６】
電池２９は、電力を本システムのすべての装置に提供する。
【００２７】
電源コネクター２９０は、外部電源に接続し、本案の装置に電力を提供し、または電池２９に対して充電することができる。
【００２８】
少なくとも一つの太陽光吸収チップ３１は、太陽光エネルギーを受け入れ、かつ太陽光エネルギーを電池２９に蓄えることができる。
【００２９】
光源３２のスイッチをオンすると光源３２は発光し、夜間に於いて使用者に方向を導き、かつ照明に用いられる。
【００３０】
ＧＰＳ定位置システム３３は、衛星信号を掴み取って、その眼鏡の所在位置を表すことができ、並びに地図と合わせてスクリーンにその位置を表す。または前記位置を発信機１５経由で外へ伝送し、それによって眼鏡が紛失した場合はそれを探し出すことができる。
【００３１】
少なくとも一つのソフトウェアプログラム３４は、メモリ１３に記憶されているので、プロセッサー１２、ディスプレー１４及びスピーカ１６を通じて、使用者はディスプレー１４で電子ゲームを行うことができる。
【００３２】
図６に示すように、ブルートゥース（登録商標）システム３５は、ブルートゥース受発信機３５１とブルートゥースプロトコル３５２を応用して信号の伝送を行う。
【００３３】
図７に示すように、音声制御装置３５０は、プロセッサー１２及びメモリ１３に音声制御プロトコル３５３を構築し、並びに本案の其の他関連部材を用い、使用者は音声を通じて外部の部材、例えばランプ（ｌａｍｐ）、テレビ等を制御することができる。
【００３４】
レシーバ１１は、金融情報（例えば証券システム、為替システム及び先物システムの情報等）を受信することができる。
【００３５】
プロセッサー１２にはタイマー３６が含まれ、ディスプレー１４は時間を表すことができる。
【００３６】
本案は一般日常生活の使用に必要な電子機能、例えばモバイルデバイス、金融表示、情報の伝送、簡易医療機能、映像音声放送等の応用を眼鏡に統合し、使用の便利性の向上が達成されるので、使用者はこれら装置を個別に携帯する必要がない。更にレンズとディスプレーとを結合するので、使用者がスクリーンを見るのが便利になり、これは伝統的な眼鏡の機能を極度に拡張し、相当な便利性の向上が達成される。
【００３７】
以上は本考案の最適な実施形態のみを示すものであり、本考案の実施範囲を制限するものではない。およそ本考案の実用新案登録請求の範囲によって行った同等効果の変更または改修は、すべて本案の範囲に含まれるべきである。
【符号の説明】
【００３８】
２０  ・・・・フレーム
２１  ・・・・枠体連結個所
３０  ・・・・レンズ
４０  ・・・・テンプル
１１  ・・・・レシーバ
１２  ・・・・プロセッサー
１３  ・・・・メモリ
１４  ・・・・ディスプレー
１５  ・・・・発信機
１６  ・・・・スピーカ
１７  ・・・・マイクロホン
１８  ・・・・スキャナ
１９  ・・・・インターネットカード装置
２５  ・・・・ＵＳＢコネクター
２６  ・・・・カメラ
２７  ・・・・体温センサー
２８  ・・・・テレビシステム
２９  ・・・・電池
３１  ・・・・太陽光吸収チップ
３２  ・・・・光源
３３  ・・・・ＧＰＳ定位置システム
３４  ・・・・ソフトウェアプログラム
３５  ・・・・ブルートゥースシステム
３６  ・・・・タイマー
２７０  ・・・温度計
２８０  ・・・映像音声収録装置
２８１  ・・・オン−オフ装置
２９０  ・・・電源コネクター
３５０  ・・・音声制御装置
【図１】
0003179826.tif 000003
【図２】
0003179826.tif 000004
【図３】
0003179826.tif 000005
【図４】
0003179826.tif 000006
【図５】
0003179826.tif 000007
【図６】
0003179826.tif 000008
【図７】
0003179826.tif 000009
【手続補正書】
【提出日】平成24年9月14日(2012.9.14)
【手続補正１】
【補正対象書類名】実用新案登録請求の範囲
【補正対象項目名】請求項１
【補正方法】変更
【補正の内容】
【請求項１】
二つの枠体の結合であり、枠体連結個所により二つの枠体を結合するフレームと、
それぞれ前記フレームの両枠体に設置される二枚のレンズと、
前記フレームの左端及び右端から、前記枠体連結個所の連接方向と垂直となるよう延伸するテンプルと、
前記眼鏡の前記フレームまたは前記テンプルに設けられ、有線または無線のレシーバと、
前記レシーバの信号を受信し、予め設けられた処理を経た後、更に映像や音声の方式で表すプロセッサーと、
システムに必要な情報を記憶するメモリと、
前記プロセッサーの信号を表し、前記レンズと重なり合い、開き上げ可能の方式により前記フレームに取り付けられ、使用者が内容を見ようとするとき、眼で見える位置に引き立てられ、タッチコントロール装置を含み、使用者はタッチコントロール方式を応用して信号を入力することができるディスプレーと、
前記プロセッサーが処理した信号を外の遠端装置へ発信することができ、無線リモートコントロールを行うことができる発信機と、
前記プロセッサーの信号によって音声を発送することができるスピーカと、
映像音声を受信するマイクロホンと、
を備える眼鏡。
【手続補正２】
【補正対象書類名】明細書
【補正対象項目名】０００１
【補正方法】変更
【補正の内容】
【０００１】
本考案は、電子装置の眼鏡に関し、特にインターフェース伝送処理機能を具える眼鏡に関する。
【手続補正３】
【補正対象書類名】明細書
【補正対象項目名】０００４
【補正方法】変更
【補正の内容】
【０００４】
本考案は、インターフェース伝送処理機能を備える眼鏡であって、フレームとレンズとテンプルとレシーバとプロセッサーとメモリとディスプレーと発信機とスピーカとマイクロホンとを備えている。フレームは、二つの枠体の結合であり、枠体連結個所により二つの枠体を結合する。二枚のレンズは、それぞれフレームの両枠体に設置される。テンプルは、フレームの左端及び右端から、枠体連結個所の連接方向と垂直となるよう延伸する。有線または無線のレシーバは、眼鏡のフレームまたはテンプルに設けられる。プロセッサーは、レシーバの信号を受信し、予め設けられた処理を経た後、更に映像や音声の方式で表す。メモリは、システムに必要な情報を記憶する。ディスプレーは、プロセッサーの信号を表し、レンズと重なり合い、開き上げ可能の方式によりフレームに取り付けられ、使用者が内容を見ようとするとき、眼で見える位置に引き立てられ、タッチコントロール装置を含み、使用者はタッチコントロール方式を応用して信号を入力することができる。発信機は、プロセッサーが処理した信号を外の遠端装置へ発信することができ、無線リモートコントロールを行うことができる。スピーカは、プロセッサーの信号によって音声を発送することができる。マイクロホンは、映像音声を受信する。
本考案の主要目的は、インターフェース伝送処理機能を具える眼鏡を提供するもので、本考案は一般日常生活に必要、かつ使用される電子機能、例えばモバイルデバイス、金融ディスプレー、情報伝送、簡易医療機能、映像音声放送等の応用を眼鏡に整理し合わせ、使用の便利性を向上し、使用者は、これら装置を個別に携帯する必要がなくなる。更に、レンズとディスプレーとを結合すれば、使用者は便利にスクリーンを見ることができ、これは伝統的な眼鏡の機能を極度に拡張し、相当な便利性の向上が達成される。
【手続補正４】
【補正対象書類名】明細書
【補正対象項目名】０００６
【補正方法】変更
【補正の内容】
【０００６】
本考案が目的を達成するために用いられる技術手段は、図１から図７に示す実施形態に対応するが、図面に表す各装置の位置は例として取り上げたものであり、実際には各部材は使用上の需要によって眼鏡の適当な位置に配置することができる。本考案は、インターフェース伝送処理機能を具える眼鏡に関するもので、次のものを含む。